(57)【要約】【課題】制御操作基板、電源基板、検出基板、外部信号受発信基板を各々同一用途回路である１つのブロックにまとめて、装置容量に関係無く、基板実装が可能となり、基板はユニットにより、区画されることで異種電圧から発生されるノイズ源との近接を回避でき、基板内の回路誤動作を防止できる制御用基板の実装方法を得る。【解決手段】複数の制御操作基板１を制御操作基板ブロックＡとして一つにまとめ、複数の検出基板３と複数の電源基板２を検出・電源基板ブロックＢとして一つにまとめ、複数の外部信号受発信基板４を外部信号受発信基板ブロックＣとして一つにまとめ、任意に盤内へ実装する。【選択図】図１
2008154417.tif 000002
【特許請求の範囲】
【請求項１】
複数の制御操作基板を制御操作基板ブロックとして一つにまとめ、複数の検出基板と複数の電源基板を検出・電源基板ブロックとして一つにまとめ、複数の外部信号受発信基板を外部信号受発信基板ブロックとして一つにまとめ、任意に盤内へ実装したことを特徴とする制御用基板の実装方法。
【請求項２】
制御操作基板ブロックは、正面扉裏面に平面上に取り付け、検出・電源基板ブロックは引出し構成とし、外部信号受発信基板ブロックは平面上に取り付けたユニット構成としたことを特徴とする請求項１記載の制御用基板の実装方法。
【請求項３】
各基板を装置制御用途に必要な回路のみを１つの基板に、検出・制御電源用途に必要な回路のみを１つの基板に、外部信号発信・受信用途に必要な回路を１つの基板にそれぞれ区分構成して、任意に盤内へ実装したことを特徴とする請求項１記載の制御用基板の実装方法。
【発明の詳細な説明】
【技術分野】
【０００１】
この発明は電力変換装置、特に無停電電源装置の切換盤に収納される制御用基板の実装方法に関するものである。
【背景技術】
【０００２】
従来の無停電電源装置の切換盤に収納される制御用基板の実装方法について図面を参照して説明する。図５は従来の制御用基板の実装方法を示す基板ブロック図である。
図５において、制御操作基板１、電源基板２、検出基板３、外部信号受発信基板４は、ある程度操作性及び作業性を考慮して装置の切換盤内に実装される。しかも、主回路用品実装で余剰となった切換盤内の空間に実装されており、装置の容量によっても取付場所が固定できないため、装置容量で各基板の実装方法が異なり、実装構成によっては異種電圧によるノイズの影響を受けてしまう。
【０００３】
【特許文献１】特開２００３−２６４９３９号公報
【発明の開示】
【発明が解決しようとする課題】
【０００４】
従来の制御用基板の実装方法では、制御操作基板１、電源基板２、検出基板３、外部信号受発信基板４を各々個別に取り付けているために、装置容量で主回路用品の外形が変更になるため、余剰な空間に基板を実装しなければならず、基板の取付位置が固定できない。また異種電圧回路や用品、電線と近接するとノイズにより、基板回路の誤動作にもつながるという問題点があった。
【０００５】
この発明は上記ような問題点を解決するためになされたもので、制御操作基板、電源基板、検出基板、外部信号受発信基板を各々同一用途回路である１つのブロックにまとめて、装置容量に関係無く、基板実装が可能となり、基板はユニットにより、区画されることで異種電圧から発生されるノイズ源との近接を回避でき、基板内の回路誤動作を防止できる制御用基板の実装方法を提供するものである。
【課題を解決するための手段】
【０００６】
この発明に係る制御用基板の実装方法は  複数の制御操作基板を制御操作基板ブロックとして一つにまとめ、複数の検出基板と複数の電源基板を検出・電源基板ブロックとして一つにまとめ、複数の外部信号受発信基板を外部信号受発信基板ブロックとして一つにまとめ、任意に盤内へ実装したものである。
【発明の効果】
【０００７】
この結果、同一用途の回路を１つのブロックにまとめ、同一用途の回路を１体化した１枚の基板で盤内部に実装することができるので、装置のシステム容量に関係無く、固定した取付方法により、装置の標準化実装設計が可能であることと回路間の電圧差によるノイズの影響も回避可能となる。
【発明を実施するための最良の形態】
【０００８】
実施の形態１．
以下、この発明の実施の形態１については図を参照して説明する。なお、従来のもの（図５）と同一機能のものは同一符号としている。
図１は複数の制御操作基板１を制御操作基板ブロックＡとして、１つにまとめている。また、複数の検出基板３と複数の電源基板２は、検出・電源基板ブロックＢとして、１つにまとめている。更に複数の外部信号受発信基板４を外部信号発信基板ブロックＣとして、１つにまとめている。
【０００９】
以上説明したように、同一用途の回路を１つのブロックにまとめることで、同電位の回路が集められて実装されることで、外部から放射ノイズの影響を受けることが防止できる。また、同一用途の回路を１つのブロックにまとめることで、同一機能の回路がまとめられるので、装置容量に無関係な同一で固定した取付空間が確保されるために標準化設計が容易になる。
以上の理由からこの発明の制御用基板の実装方法では、同一用途回路の基板を１つのブロックにまとめることで、外部放射ノイズ防止と同一で固定した取付空間が確保されるために標準化設計が容易に可能となる。
【００１０】
実施の形態２．
以下、この発明の実施の形態２については図を参照して説明する。なお、従来のもの（図５）と同一機能のものは同一符号としている。
図２は金属製の板状で作成した外部信号受発信基板ユニット５の任意の位置に作業性を考慮し、平面上に複数の外部信号受発信基板４を取り付けた構成としたものである。
図３は金属製の板状で作成した引出し板６に複数の検出基板３や複数の電源基板２を取り付けて、それを金属製の板状で作成した検出電源基板回路ユニット７内に溝をつけて、基板の保守性を考慮して、引出し可能な構成としたものである。
図４は金属製の板状で作成した制御操作基板ユニット９に制御操作基板１を平面上で任意に配置したものである。そして、制御操作基板回路ユニット９を操作性のため、盤の正面扉８の裏面に実装する構成としたものである。
【００１１】
以上説明したように、同一用途の基板を１つのブロックにまとめて、金属製のユニット構成にせず、任意に装置内部へ実装し、放射ノイズが受けないように十分な距離を取り、基板を実装する。
この制御基板の実装方法は、同一用途の基板をあくまで１つのブロックにまとめて、放射ノイズの影響を防止する距離で装置に実装することで実施の形態１と同様の効果が得られる。更に同一用途の基板を１つのブロックにまとめて、機能を一体化した１枚の基板構成とし、任意に装置内部へ実装し、金属製の板で放射ノイズが受けないように基板を実装する。この制御基板の実装方法は同一用途回路をあくまで１つのブロックにまとめて、同一用途回路を１枚の基板構成として装置内部に実装することで実施の形態１と同様の効果が得られる。
【図面の簡単な説明】
【００１２】
【図１】この発明の実施の形態１における制御用基板の実装方法を示す基板ブロック図である。
【図２】この発明の実施の形態２における制御用基板の実装方法の外部信号受発信基板ユニット構成を示す図である。
【図３】この発明の実施の形態２における制御用基板の実装方法の検出・電源基板ユニット構成を示す図である。
【図４】この発明の実施の形態２における制御用基板の実装方法の制御操作基板ユニット構成を示す図である。
【図５】従来の制御用基板の実装方法を示す基板ブロック図である。
【符号の説明】
【００１３】
１  制御操作基板
２  電源基板
３  検出基板
４  外部信号受発信基板
５  外部信号受発信基板ユニット
６  引出し板
７  検出電源基板回路ユニット
８  正面扉
９  制御操作基板回路ユニット
【図１】
2008154417.tif 000003
【図２】
2008154417.tif 000004
【図３】
2008154417.tif 000005
【図４】
2008154417.tif 000006
【図５】
2008154417.tif 000007